(57)【要約】【課題】第三者からのメールの受信によってアラーム音が鳴動することを防止する。【解決手段】情報端末装置において、第２フラグがＯＮの場合に電子メールを受信すると、受信した電子メールの送信者が指定送信者であるかどうか判定される（ステップＳ１４）。指定送信者は、ユーザによってあらかじめ情報端末装置に登録されている。また、指定送信者を複数登録でき、さらに、ユーザ自身を指定送信者として登録することもできる。ステップＳ１４で、受信した電子メールの送信者が指定送信者であると判定されたことを条件に、情報端末装置は、スピーカからアラーム（目覚まし音）を鳴動させる。【選択図】図５
2008017410.tif 000002
【特許請求の範囲】
【請求項１】
アラーム機能と電子メールの送受信機能とを備えた情報端末装置であって、
電子メールを受信したときにアラームを鳴動させる受信時起動手段と、
ユーザが指定した端末を特定する情報を記憶する指定送信者記憶手段と、
電子メールを受信すると、該電子メールの送信元メールアドレスが前記指定送信者記憶手段に記憶されているか否か確認する指定送信者確認手段とを備え、
前記受信時起動手段は、前記送信元メールアドレスが前記指定送信者記憶手段に含まれると前記指定送信者確認手段が判定した場合に、アラームを鳴動させる
ことを特徴とする情報端末装置。
【請求項２】
指定送信者記憶手段は、ユーザによって指定された端末のメールアドレスを記憶する
請求項１記載の情報端末装置。
【請求項３】
ユーザの操作に応じて、受信時起動手段を動作させることを示す受信時起動データを記憶する受信時起動データ記憶手段を備え、
受信時起動手段は、前記受信時起動データ記憶手段に前記受信時起動データが記憶されていることを条件に、アラームを鳴動させる
請求項１または請求項２記載の情報端末装置。
【請求項４】
受信時起動手段は、アラームを鳴動させるとデータを無効状態にする
請求項３記載の情報端末装置。
【請求項５】
アラームを鳴動させるとともに電子メールを送信する送信時起動手段を備えた
請求項１から請求項４のうちのいずれか１項に記載の情報端末装置。
【請求項６】
ユーザの操作に応じて、送信時起動手段を動作させることを示す送信時起動データを記憶する送信時起動データ記憶手段を備え、
送信時起動手段は、前記送信時起動データ記憶手段に前記送信時起動データが記憶されていることを条件に、アラームを鳴動させる
請求項５記載の情報端末装置。
【請求項７】
送信時起動手段は、アラームを鳴動させるとデータを無効状態にする
請求項６記載の情報端末装置。
【請求項８】
送信時起動手段は、自端末に電子メールを送信し、
指定送信者記憶手段は、端末を特定する情報として自端末を特定する情報を記憶する
請求項５から請求項７のうちのいずれか１項に記載の情報端末装置。
【発明の詳細な説明】
【技術分野】
【０００１】
本発明は、アラーム機能と電子メールの送受信機能とを備えた情報端末装置に関する。
【背景技術】
【０００２】
目覚まし時計機能を備えた携帯電話機やＰＨＳ（Personal Handyphone System）端末等の情報端末装置のユーザは、情報端末装置を、目覚まし時計として利用することができる。さらに、ユーザの便を向上させるために、目覚まし音を鳴動させるとともに電子メール（以下、メールという。）の送信を行う情報端末装置も考えられている（例えば、特許文献１参照。）。特許文献１に記載されている情報端末装置は、目覚まし音の鳴動とともにメールの送信を行い、メールを受信した受信側の情報端末装置（以下、受信者側端末という。）も目覚まし音を鳴動させる。メール送信側の情報端末装置（以下、送信者側端末という。）のユーザは、例えば、一緒に出かける約束をした友人などに対して、自分の起床時刻と同時に、友人の受信者側端末に自動的にメールを送り、友人の受信者側端末の目覚まし時計機能を動作させることができる。
【０００３】
図８は、特許文献１に記載されている情報端末装置の動作の一例を示すフローチャートである。受信者側端末では、ステップＳ１０１で第２フラグがオン（ＯＮ）している場合、ステップＳ１０２において電子メールが受信されたかどうか確認される。ここで、「第２フラグがＯＮ」している状態とは、受信者側端末において、メールを受信した際に目覚まし音の鳴動を許可する状態である。ステップＳ１０２で受信者側端末がメールを受信したと判定されると、受信者側端末のプログラムに従って制御を行うＣＰＵは、ステップＳ１０３で目覚まし音を鳴動させる。そして、ステップＳ１０４で第２フラグをオフ（ＯＦＦ）にする。
【０００４】
【特許文献１】特開２００６−４０１７１号公報（段落００２５−００２７、図２）
【発明の開示】
【発明が解決しようとする課題】
【０００５】
しかし、特許文献１に記載させている情報端末装置では、受信者側端末の第２フラグがＯＮしている時にメールを受信するといつでも目覚まし音が鳴動する。さらに、メールの送信者が誰であっても、受信者側端末では目覚まし音が鳴動する。例えば、第２フラグがＯＮになっている状態で第三者からメールを受信した場合、受信者側端末は、目覚まし音を鳴動させてしまう。送信者側端末で設定された目覚まし時刻と大幅に異なる時刻において、受信者側端末が第三者からメールを受信すると、受信者側端末のユーザは、睡眠を妨害されてしまうという問題がある。
【０００６】
そこで、本発明は、アラーム機能と電子メールの送受信機能とを備えた情報端末装置において、第三者からのメールの受信によってアラーム音が鳴動することを防止することができる情報端末装置を提供することを目的とする。
【課題を解決するための手段】
【０００７】
本発明による情報端末装置は、アラーム機能と電子メールの送受信機能とを備えた情報端末装置であって、電子メールを受信したときにアラームを鳴動させる受信時起動手段と、ユーザが指定した端末を特定する情報を記憶する指定送信者記憶手段と、電子メールを受信すると、該電子メールの送信元メールアドレスが指定送信者記憶手段に記憶されているか否か確認する指定送信者確認手段とを備え、受信時起動手段は、送信元メールアドレスが指定送信者記憶手段に含まれると指定送信者確認手段が判定した場合に、アラームを鳴動させることを特徴とする。
【０００８】
指定送信者記憶手段は、ユーザによって指定された端末のメールアドレスを記憶するように構成されていてもよい。
【０００９】
ユーザの操作に応じて、受信時起動手段を動作させることを示す受信時起動データ（例えば、第２フラグ）を記憶する受信時起動データ記憶手段を備え、受信時起動手段が、受信時起動データ記憶手段に受信時起動データが記憶されていることを条件に、アラームを鳴動させるように構成されていてもよい。
【００１０】
受信時起動手段は、アラームを鳴動させるとデータを無効状態にする（例えば、第２フラグをオフする）ことが好ましい。
【００１１】
アラームを鳴動させるとともに電子メールを送信する送信時起動手段を備えていてもよい。
【００１２】
ユーザの操作に応じて、送信時起動手段を動作させることを示す送信時起動データ（例えば、第１フラグ）を記憶する送信時起動データ記憶手段を備え、送信時起動手段が、送信時起動データ記憶手段に送信時起動データが記憶されていることを条件に、アラームを鳴動させるように構成されていてもよい。
【００１３】
送信時起動手段は、アラームを鳴動させるとデータを無効状態にする（例えば、第１フラグをオフする）ことが好ましい。
【００１４】
送信時起動手段が、自端末に電子メールを送信し、指定送信者記憶手段が、端末を特定する情報として自端末を特定する情報を記憶するように構成されていてもよい。
【発明の効果】
【００１５】
本発明によれば、アラーム機能と電子メールの送受信機能とを備えた情報端末装置において、指定送信者からのメールの受信によりアラーム音を鳴動させることができるので、第三者から受信したメールによる不要なアラーム音の鳴動を防止できる。
【発明を実施するための最良の形態】
【００１６】
実施の形態１．
以下、本発明の実施の形態を図面を参照して説明する。
図１は、本発明による情報端末装置の一構成例を示すブロック図である。図１に示すように、本実施の形態における情報端末装置は、クロック発生器１と、スピーカ２と、操作キー３と、ディスプレイ４と、ＲＡＭ５と、ＲＯＭ６と、ＣＰＵ７と、電子メール送受信部８と、アンテナ９とを含む。アンテナ９は、電子メール送受信部８に接続されている。また、ＣＰＵ７は、アンテナ９を除く各構成要素と接続されている。
【００１７】
クロック発生器１は、例えば水晶振動子を用いた水晶発振器であり、基準クロックパルスを発生させる。ＣＰＵ７は、基準クロックパルスにもとづいて現在の時刻を把握する。
【００１８】
スピーカ２は、情報端末装置の目覚まし音としてのアラーム音、他の原因にもとづくアラーム音、着信音等の音を出力する。なお、「目覚まし音」とは、ユーザを起床させるために鳴動させる音である。「着信音」とは、メールを受信した際に受信者側端末が鳴動させる音である。「アラーム音」とは、ユーザの誤操作等の際に鳴動させる音である。
【００１９】
操作キー３は、数字や文字などを入力するキーボタンによって構成される。操作キー３は、ユーザの操作に応じた入力信号をＣＰＵ７に出力する。ユーザは、操作キー３によって、現在の時刻の調整、目覚まし音を鳴動させる所望時刻（以下、目覚まし時刻という。）の設定、メールの作成、メールの送信・受信に関する操作、スピーカ２からの音の出力の解除等の操作を行うことができる。
【００２０】
ディスプレイ４は、例えばＬＣＤ（Liquid Crystal Display：液晶表示装置）によって構成される。ディスプレイ４は、現在の時刻の表示、目覚まし時刻の表示、受信したメールの内容の表示、送信するメールの内容の表示などを行う。
【００２１】
ＲＡＭ５には、ＣＰＵ７が制御動作を行う際に必要なワークエリアが確保される。後述する図２および図５に示されている処理を実行するプログラムで使用される、第１フラグや、第２フラグ、目覚まし時刻、メールの作成の有無等を記憶する記憶エリアが確保される。また、受信したメールの内容、作成したメールの内容等も記憶される。また、ＲＯＭ６には、ＣＰＵ７が制御動作を行う際に必要なプログラムが記憶されている。
【００２２】
ＣＰＵ７は、ＲＯＭ６に記憶されているプログラムに従って制御を行う。ＣＰＵ７は、例えば、現在の時刻をディスプレイ４に表示させたり、設定された目覚まし時刻にスピーカ２から目覚まし音を鳴動させたり、操作キー３から入力された情報をディスプレイ４に表示させたりする。また、例えば、ＣＰＵ７は、操作キー３から入力された目覚まし時刻を設定したりする。
【００２３】
電子メール送受信部８は、接続されているアンテナ９を介してメールの送受信を行う。本実施の形態における情報端末装置は、ユーザによる操作キー３の操作に従って、電子メール送受信部８で受信したメールをディスプレイ４に表示する。ユーザは、操作キー３を操作することによって、ディスプレイ４を見ながらメールを作成したり、作成したメールを送信したりする。
【００２４】
また、本実施の形態における情報端末装置では、ディスプレイ４に現在の時刻が表示される。ユーザは、ディスプレイ４を見ながら操作キー３を使用して目覚まし時刻を入力する。そして、情報端末装置は、目覚まし時刻になるとスピーカ２から目覚まし音を鳴動させ、目覚まし時計機能を発揮することができる。さらに、本実施の形態における情報端末装置は、メールを送信すると同時に、または、メールを受信すると同時に、目覚まし時計機能を動作させる機能を有する。
【００２５】
以下、本実施の形態における情報端末装置の動作を説明する。
【００２６】
まず、送信者側端末の動作を説明する。図２は、送信者側端末のＣＰＵ７がプログラムに従って実行する処理を示すフローチャートである。図２に示すプログラムは、例えばユーザによる操作キー３に対する操作を契機に実行される。ＣＰＵ７は、まず、ステップＳ１において、「目覚まし時刻」が設定されたかどうか判定する。「目覚まし時刻」が設定されていない場合には（Ｓ１：ＮＯ）、処理を終了する。「目覚まし時刻」が設定されている場合には（Ｓ１：ＹＥＳ）、ステップＳ２に進む。
【００２７】
ステップＳ２では、メールが作成されたかどうか判定する。ステップＳ２でメールが作成されないと判定した場合には（Ｓ２：ＮＯ）、処理を終了する。メールが作成されたと判定した場合には（Ｓ２：ＹＥＳ）、ステップＳ３に進む。
【００２８】
ステップＳ３では、ＣＰＵ７は、第１同時起動を行うかどうか判定する。「第１同時起動」とは、目覚まし音の鳴動と同時にメールを送信することをいう。第１同時起動を行うかどうかの判定は、ディスプレイ４に表示されたメッセージに対し、ユーザが行った操作キー３の操作にもとづいて行われる。例えば、ユーザは、ディスプレイ４に表示された選択画面において、第１同時起動を行うかどうかを操作キー３で選択する。
【００２９】
第１同時起動を行わないと判定した場合には（Ｓ３：ＮＯ）、処理を終了する。第１同時起動を行うと判定した場合には（Ｓ３：ＹＥＳ）、ステップＳ４に進む。ステップＳ４では、ＣＰＵ７は、ＲＡＭ５に確保された第１フラグをＯＮにし、その後、処理を終了する。なお、例えばステップＳ３でＮＯの場合、ＣＰＵ７は、作成されたメールを削除するようにしてもよい。
【００３０】
次に、送信者側端末において目覚まし音を鳴動させるか否か判定する処理を説明する。図３は、送信者側端末において目覚まし音を鳴動させるか否か判定する処理を示すフローチャートである。なお、図３に示す処理は定期的に実行される。図３に示す処理は、目覚まし時刻を判定できる程度の時間間隔で実行される。例えば、目覚まし時刻を厳密に判定する場合には、図３に示す処理を１秒おきに実行する。
【００３１】
図３に示されているように、ＣＰＵ７は、ステップＳ５において、第１フラグがＯＮであるかどうか判定する。第１フラグがＯＮでないと判定した場合には（Ｓ５：ＮＯ）、処理を終了する。第１フラグがＯＮであると判定した場合には（Ｓ５：ＹＥＳ）、ステップＳ６に進む。
【００３２】
ステップＳ６では、ＣＰＵ７は、「目覚まし時刻」であるかどう判定する。「目覚まし時刻」でないと判定した場合には（Ｓ６：ＮＯ）、処理を終了する。「目覚まし時刻」であると判定した場合には（Ｓ６：ＹＥＳ）、ステップＳ７に進む。
【００３３】
ステップＳ７で、ＣＰＵ７は、スピーカ２から目覚まし音を鳴動させる。そして、次のステップＳ８では、作成されたメールを電子メール送受信部８から送信させる。すなわち、ＣＰＵ７は、プログラムに従ってステップＳ７およびステップＳ８の処理を実行する際に、送信時起動手段として動作する。そして、ステップＳ９で第１フラグをＯＦＦにし、処理を終了する。
【００３４】
以上のように、本実施の形態における情報端末装置では、ＣＰＵ７は、第１フラグがＯＮであることを条件として（Ｓ３：ＹＥＳ、Ｓ５：ＹＥＳ）、ユーザが設定した「目覚まし時刻」においてスピーカ２から目覚まし音を鳴動させると同時に、受信者側端末へのメールの送信を電子メール送受信部８に実行させる。すなわち、第１同時起動が実行される。送信者側端末のユーザは、自身の起床時刻に合わせて自動的にメールを送信することができる。
【００３５】
次に、受信者側端末の動作を図面を参照して説明する。受信者側端末は、指定したユーザからのメールを受信すると、目覚まし時計機能を動作させる。図４は、受信者側端末のＣＰＵ７がプログラムに従って実行する処理を示すフローチャートである。図４に示す処理は、例えば操作キー３に対する操作を契機に実行される。
【００３６】
図４に示されているように、ＣＰＵ７は、ステップＳ１０において、第２同時起動を行うかどうかを判定する。ＣＰＵ７は、ディスプレイ４に表示されたメッセージに対して、ユーザが行った操作キー３の操作にもとづいて判定する。「第２同時起動」とは、メールを受信すると同時に目覚まし音を鳴動させることをいう。
【００３７】
第２同時起動を行わないと判定した場合には（Ｓ１０：ＮＯ）、処理を終了する。第２同時起動を行うと判定した場合には（Ｓ１０：ＹＥＳ）、ステップＳ１１に進む。ステップＳ１１では、ＣＰＵ７は、ＲＡＭ５に確保された第２フラグをＯＮにし、処理を終了する。
【００３８】
次に、受信者側端末において目覚まし音を鳴動させるか否か判定する処理を説明する。図５は、受信者側端末において目覚まし音を鳴動させるか否か判定する処理を示すフローチャートである。ＣＰＵ７は、図５に示されている処理を、定期的に実行する。例えば、送信者側端末で設定された目覚まし時刻に合わせて厳密に目覚まし音を鳴動させる場合には、例えば１秒毎に実行される。
【００３９】
図５に示されているように、ＣＰＵ７は、ステップＳ１２において、第２フラグがＯＮであるかどうかを判定する。第２フラグがＯＮでないと判定した場合には（Ｓ１２：ＮＯ）、処理を終了する。第２フラグがＯＮであると判定した場合には（Ｓ１２：ＹＥＳ）、ステップＳ１３に進む。
【００４０】
ステップＳ１３では、ＣＰＵ７は、メールを受信したかどうか判定する。受信者側端末がメールを受信していないと判定した場合には（Ｓ１３：ＮＯ）、処理を終了する。メールを受信したと判定した場合には（Ｓ１３：ＹＥＳ）、ステップＳ１４に進む。
【００４１】
ステップＳ１４では、ＣＰＵ７は、メールの送信者が指定送信者であるかどうか判定する。指定送信者でないと判定した場合には（Ｓ１４：ＮＯ）、処理を終了する。指定送信者であると判定した場合には（Ｓ１４：ＹＥＳ）、ステップＳ１５に進む。なお、受信者側端末のユーザは、指定送信者を事前に登録しておく。ＣＰＵ７は、ステップＳ１５で、スピーカ２から目覚まし音を鳴動させる。
【００４２】
図６は、受信者側端末における指定送信者を設定する画面の一例を示す説明図である。例えば、受信者側端末のユーザは、ディスプレイ４に表示された設定画面１０において、指定送信者のメールアドレス（例えば、「aaa@bbb.ne.jp 」など。）を操作キー３で入力し、指定送信者を登録する。その場合、ユーザ自身を登録することや、指定送信者を複数登録することができる。設定画面１０で登録された指定送信者のメールアドレスは、送信者リストとしてＲＡＭ５に格納される。
【００４３】
図７は、ＲＡＭ５に格納される指定送信者リストの一例を示す説明図である。ＣＰＵ７は、ステップＳ１４で、指定送信者リストに登録されたメールアドレスと、受信したメールの送信元メールアドレスとを照合する。そして、指定送信者リストの中に受信メールの送信者が含まれるかどうか確認する。指定送信者リストの中に受信メールの送信者が含まれる場合、ステップＳ１４でＹＥＳと判定される。指定送信者リストと受信したメールの送信者とを照合するため、第三者から受信したメールによる目覚まし音の鳴動は回避される。
【００４４】
ＣＰＵ７は、プログラムに従ってステップＳ１３、ステップＳ１４およびステップＳ１５の処理を実行する際に、受信時起動手段として動作する。プログラムは、ステップＳ１６において、第２フラグをＯＦＦにし、処理を終了する。
【００４５】
以上のように、本実施の形態の情報端末装置では、ＣＰＵ７は、第２フラグがＯＮであることを条件として（Ｓ１２：ＹＥＳ）、電子メール送受信部８が受信したメールが指定送信者から送信されたメールであると判定すると、スピーカ２から目覚まし音を鳴動させる。すなわち、受信者側端末は、メールの受信と同時に目覚まし音を鳴動させる第２同時起動を実行する。よって、第三者からのメールの受信による目覚まし音の鳴動は回避できる。  
【００４６】
実施の形態２．
以下、本発明による第２の実施の形態を図面を参照して説明する。本実施の形態の情報端末装置の構成要素は、図１に示されている第１の実施の形態の情報端末装置の構成要素と同じである。第１の実施の形態では、送信者側端末と受信者側端末とが別端末であったが、本実施の形態では、送信者側端末と受信者側端末とが同じ端末である。なお、第１の実施の形態でも、１つの情報端末装置が、送信者側端末の機能と受信者側端末との機能とを備えている。
【００４７】
本実施の形態でも、ユーザは、図２に示されているように、目覚まし時刻等を設定する。そして、情報端末装置において、第１同時起動が実行されるように設定する。具体的には、ユーザは、ディスプレイ４に表示された設定画面を見ながら操作キー３で目覚まし時刻の入力等を行う。その場合、作成したメールの送信先アドレスとして、ユーザ自身の情報端末装置のメールアドレスを設定する。
【００４８】
また、ＣＰＵ７は、図４に示されているように、情報端末装置がメールを受信したときに目覚まし音が鳴動するように設定を行う。具体的には、ユーザがディスプレイ４に表示された設定画面を見ながら操作キー３で第２同時起動の入力等を行ったことに応じて設定を行う。その場合、ユーザは、指定送信者として、自端末のメールアドレスをあらかじめ登録しておく。
【００４９】
情報端末装置は、目覚まし時刻になると目覚まし音を鳴動させ、自端末のメールアドレスに対してメールを送信する。そして、情報端末装置は、自端末が送信したメールを受信すると第２同時起動を実行し、再度、目覚まし音を鳴動させる。一般に、伝送路およびメールサーバ内での処理により、メールを送信してからメールを受信するまでの間に遅延が発生する。また、図５に示されているような処理が、例えば、１分間隔で「定期的」に起動される場合には、最初に目覚まし音が鳴動してから再度目覚まし音が鳴動するまでの間に遅延を発生させることができる。
【００５０】
以上のように、ユーザの情報端末装置から自分宛（自端末）にメールを送信すれば、ユーザは、自分の情報端末装置で目覚まし音を２回鳴動させることができる。目覚まし音を２回鳴動させることで、ユーザはより確実に起床できるようになる。
【００５１】
なお、本発明による情報端末装置は、例えば、携帯電話機等の携帯端末であってもよいし、メールの送受信機能を備えた目覚まし時計であってもよいし、パーソナルコンピュータ等であってもよい。
【産業上の利用可能性】
【００５２】
本発明は、アラーム機能と電子メールの送受信機能とを備えた携帯電話機等の情報端末装置に適用できる。
【図面の簡単な説明】
【００５３】
【図１】本発明による情報端末装置の一構成例を示すブロック図である。
【図２】第１同時起動を行うか否か判定する処理を示すフローチャートである。
【図３】目覚まし音を鳴動させるか否か判定する処理を示すフローチャートである。
【図４】第２同時起動を行うか否か判定する処理を示すフローチャートである。
【図５】目覚まし音を鳴動させるか否か判定する処理を示すフローチャートである。
【図６】指定送信者の設定画面の一例を示す説明図である。
【図７】指定送信者リストの一例を示す説明図である。
【図８】従来の目覚まし音を鳴動させるか否か判定する処理を示すフローチャートである。
【符号の説明】
【００５４】
１  クロック発生器
２  スピーカ
３  操作キー
４  ディスプレイ
５  ＲＡＭ
６  ＲＯＭ
７  ＣＰＵ
８  電子メール送受信部
９  アンテナ
１０  設定画面
【図１】
2008017410.tif 000003
【図２】
2008017410.tif 000004
【図３】
2008017410.tif 000005
【図４】
2008017410.tif 000006
【図５】
2008017410.tif 000007
【図６】
2008017410.tif 000008
【図７】
2008017410.tif 000009
【図８】
2008017410.tif 000010